(57)【要約】【課題】本発明の目的は、耐湿性及び十分な強度を有し、そして組み立ての容易な折り畳み式トイレを提供することである。【解決手段】前記課題は、本発明の中空状の四角柱である側壁部、及びその側壁部の上部に設置する便座部を含む、折り畳み式トイレであって、前記側壁部は、前方側壁体、後方側壁体、右側側壁体、及び左側側壁体の４つの側壁体が、それぞれの２つの側辺でお互いに結合することによって四角柱を形成しており、前記それぞれの側壁体は、隣接する側壁体と結合するために、２つの側辺にそれぞれ１つ以上の結合部を有し、前記結合部は芯棒を挿入するための円柱状の中空部を有し、隣接する側壁体の結合部は、芯棒が挿入されることによって結合しており、前記便座部は、便座上部及びそこから下方に伸びた便座嵌合部を含み、前記便座嵌合部が前記側壁部の内側又は外側と嵌合する、折り畳み式トイレによって解決することができる。【選択図】図１
2020010944.tif 000002
【特許請求の範囲】
【請求項１】
中空状の四角柱である側壁部、及びその側壁部の上部に設置する便座部を含む、折り畳み式トイレであって、
前記側壁部は、前方側壁体、後方側壁体、右側側壁体、及び左側側壁体の４つの側壁体が、それぞれの２つの側辺でお互いに結合することによって四角柱を形成しており、
前記それぞれの側壁体は、隣接する側壁体と結合するために、２つの側辺にそれぞれ１つ以上の結合部を有し、前記結合部は芯棒を挿入するための円柱状の中空部を有し、前記側壁体の外側の直線と、円柱状の中空部の中心点及び側辺の端部を結ぶ直線とが形成する角度が１２０〜１５０度であり、隣接する側壁体の結合部は、芯棒が挿入されることによって結合しており、
前記便座部は、便座上部及びそこから下方に伸びた便座嵌合部を含み、前記便座嵌合部が前記側壁部の内側又は外側と嵌合する、
折り畳み式トイレ。
【請求項２】
前記前方側壁体、右側側壁体、後方側壁体、及び左側側壁体が、それぞれ独立して１つ以上のリブを有する、請求項１に記載の折り畳み式トイレ。
【請求項３】
前記芯棒の挿入部の直径と、前記結合部の円柱状の中空部の直径との比率が１００：１０１〜１０３である、請求項１又は２に記載の折り畳み式トイレ。
【請求項４】
前記前記側壁体の外側の直線と、円柱状の中空部の中心点及び側辺の端部を結ぶ直線とが形成する角度が略１３５度である、請求項１〜３のいずれか一項に記載の折り畳み式トイレ。
【発明の詳細な説明】
【技術分野】
【０００１】
本発明は、折り畳み式トイレに関する。本発明によれば、耐湿性及び十分な強度を有し、そして組み立ての容易な折り畳み式トイレを提供することができる。
【背景技術】
【０００２】
地震又は風水害などの災害発生時においては、ライフラインが寸断され、断水によって水洗トイレが使えなくなることが多い。また、避難場所には多くの被災者がおり、トイレが十分に確保できないこともある。この問題を解決するため、組み立てて使用できる段ボール製の組み立て式簡易トイレが提案されており（特許文献１〜５）、各メーカーから販売されている。
【先行技術文献】
【特許文献】
【０００３】
【特許文献１】特開２００８−１０４５５８号公報
【特許文献２】特開２００９−４２５号公報
【特許文献３】特開２０１３−８５８０７号公報
【特許文献４】特開平９−２８６１８号公報
【特許文献５】特開２０１６−１０６９６５号公報
【発明の概要】
【発明が解決しようとする課題】
【０００４】
しかしながら、これらの組みたて式トイレは、段ボール製のものが多く、耐湿性の問題があった。更に、段ボール製のため、強度が十分ではなかった。そして、１枚又は２枚以上の平面の段ボールを組み立てるために、構造が比較的複雑であり、組み立てに時間がかかるものが多かった。
本発明の目的は、耐湿性及び十分な強度を有し、そして組み立ての容易な折り畳み式トイレを提供することである。
【課題を解決するための手段】
【０００５】
本発明者は、耐湿性及び十分な強度を有し、そして組み立ての容易な折り畳み式トイレについて、鋭意研究した結果、驚くべきことに、中空状の四角柱である側壁部、及びその側壁部の上部に設置する便座部を含む、折り畳み式トイレによって、前記の課題を解決できることを見出した。
本発明は、こうした知見に基づくものである。
従って、本発明は、
［１］中空状の四角柱である側壁部、及びその側壁部の上部に設置する便座部を含む、折り畳み式トイレであって、前記側壁部は、前方側壁体、後方側壁体、右側側壁体、及び左側側壁体の４つの側壁体が、それぞれの２つの側辺でお互いに結合することによって四角柱を形成しており、前記それぞれの側壁体は、隣接する側壁体と結合するために、２つの側辺にそれぞれ１つ以上の結合部を有し、前記結合部は芯棒を挿入するための円柱状の中空部を有し、前記側壁体の外側の直線と、円柱状の中空部の中心点及び側辺の端部を結ぶ直線とが形成する角度が１２０〜１５０度であり、隣接する側壁体の結合部は、芯棒が挿入されることによって結合しており、前記便座部は、便座上部及びそこから下方に伸びた便座嵌合部を含み、前記便座嵌合部が前記側壁部の内側又は外側と嵌合する、折り畳み式トイレ、
［２］前記前方側壁体、右側側壁体、後方側壁体、及び左側側壁体が、それぞれ独立して１つ以上のリブを有する、［１］に記載の折り畳み式トイレ、
［３］前記芯棒の挿入部の直径と、前記結合部の円柱状の中空部の直径との比率が１００：１０１〜１０３である、［１］又は［２］に記載の折り畳み式トイレ、及び
［４］前記前記側壁体の外側の直線と、円柱状の中空部の中心点及び側辺の端部を結ぶ直線とが形成する角度が略１３５度である、［１］〜［３］のいずれかに記載の折り畳み式トイレ、
に関する。
【発明の効果】
【０００６】
本発明の折り畳み式トイレによれば、使用時にはすぐに組み立てることが可能であり、瞬時に使用可能となる。また、収納時にもすぐに片付けることができ、そして収納時においては、側壁部は約１．５ｃｍ以下の厚さとなるため、狭い収納場所に収納することができる。従って、運搬時も場所を取らず、多くの折り畳み式トイレを輸送することができる。
また、本発明の折り畳み式トイレは樹脂等を用いて製造するため、段ボール製の簡易トイレと比較して、十分な強度を得ることができる。更に、側壁部にリブを形成することにより、更に強度を向上させることができる。更に、樹脂製であるため、耐湿性の問題が発生しない。
また、前記の通り、多くの段ボール製の組み立て式簡易トイレは、組み立て方が複雑で、説明書なしには組み立てられないものが多い。しかしながら、本発明の折り畳み式トイレは、子供又は老人でも直感的に組み立てることが可能である。更に、例えば視覚障害者であっても、購入後に組み立て方の訓練をしておけば、容易に組み立てることが可能であり、災害弱者にとって、ストレスの軽減につながるものである。
また、本発明の折り畳み式トイレは、前後の区別なく使用することが可能である。一方、通常の段ボール製の組み立て式簡易トイレは前後がある。例えば、視覚障害者にとっては、使用時に前後を区別することもストレスとなることがあるが、本発明ではそのような問題を解消することができる。
【図面の簡単な説明】
【０００７】
【図１】側壁部及び便座部を有する、本発明の折り畳み式トイレの構造を示した図である。
【図２】本発明の折り畳み式トイレの側壁部を示した図である。
【図３】側壁部を折り畳んだ状態を示した図である。
【図４】前方側壁体の前方からの斜視図である。
【図５】前方側壁体の後方からの斜視図である。
【図６】前方側壁体の上面図である。
【図７】右側側壁体の右側からの斜視図である。
【図８】右側側壁体の裏側からの斜視図である。
【図９】右側側壁体の上面図である。
【図１０】芯棒を示した図である。
【図１１】便座部の上面の斜視図である。
【図１２】便座部の下面の斜視図である。
【図１３】本発明の折り畳み式トイレにビニールを装着した使用時の写真である。
【発明を実施するための形態】
【０００８】
本発明の折り畳み式トイレ１は、中空状の四角柱である側壁部２、及びその側壁部の上部に設置する便座部３を含む（図１）。
【０００９】
《側壁部》
側壁部２は、前方側壁体４、後方側壁体５、右側側壁体６、及び左側側壁体７の４つの側壁体が、それぞれの２つの側辺１０において、結合部８でお互いに結合することによって四角柱を形成している（図２）。すなわち、各側壁体は、隣接する側壁体の結合部を組み合わせて、結合部の円柱状の中空部１１に芯棒を挿入することによって結合される（図２）。側壁部は中空状であり、上面及び下面を有さない。従って図３に示すように容易に折り畳み、薄い形態で狭い場所に収納することができる。
【００１０】
側壁部の四角柱は正四角柱でもよいが、図２に示すように、上方から見た場合の四角形が長方形の四角柱が好ましい。長方形の四角柱の側壁部を折り畳んだ場合、図３に示すように、側壁体に挟まれる２つの結合部の位置が、互い違いの状態で折り畳むことができる。従って、収納時（保管時）に非常に薄い形態として収納できる。一方、正四角柱の側壁部を折り畳んだ場合、側壁体に挟まれる２つの結合部が、同じ位置で干渉するため（図示せず）、その部分の厚さが若干厚くなることがある。
【００１１】
側壁部の高さは、トイレとして使用できる高さである限りにおいて、特に限定されるものではないが、例えば３０〜５０ｃｍであり、より好ましくは３５〜４５ｃｍである。
側壁部の幅は、トイレとして使用できる幅である限りにおいて、特に限定されるものではないが、例えば２１〜４０ｃｍであり、より好ましくは２４〜３２ｃｍである。
側壁部の奥行きは、トイレとして使用できる奥行である限りにおいて、特に限定されるものではないが、例えば２７〜４７ｃｍであり、より好ましくは３２〜４１ｃｍである。
【００１２】
なお、折り畳み式トイレの作製費用が増加するため、現実的ではないが、側壁部の４つの側壁体を５つ又は６つなどに増やして、５角柱又は６角柱などの側壁部を作製することもできる。このような側壁部であっても、側壁部に合わせた便座部を作製することによって、本発明の折り畳み式トイレとすることができる。また、６つの側壁体によって、四角柱の側壁部を作製することもできる。このような態様も本発明の範囲に含まれる。
【００１３】
（前方側壁体）
前記前方側壁体４は、側壁部２の前方の壁を形成し、右側側壁体６及び左側側壁体７と隣接している（図２）。
前方側壁体は、上辺、下辺、右の側辺１０（ａ）、及び左の側辺１０（ｂ）を有する四角形の形状であり、側辺が、上辺及び下辺より長い長方形が好ましい（図４）。前方側壁体の高さは、特に限定されるものではないが、例えば３０〜５０ｃｍであり、より好ましくは３５〜４５ｃｍである。前方側壁体の幅は、特に限定されるものではないが、例えば２１〜４０ｃｍであり、より好ましくは２４〜３２ｃｍである。前方側壁体の厚さは、折り畳み式トイレとしての強度が得られる限りにおいて、特に限定されるものではないが、１〜１０ｍｍであり、好ましくは３〜８ｍｍであり、より好ましくは４〜６ｍｍである。
前方側壁体は、上方から下方に伸びるリブ１２を有することができる。上下方向のリブを有することにより、使用者が便座に腰掛けた場合の荷重に対して、折り畳み式トイレの強度を向上させることができる。リブの数は、特に限定されるものではなく、１つ以上のリブを形成することができるが、リブの幅と前方側壁体との幅、及び重量を考慮すると、好ましくは４つ以下であり、より好ましくは３つ以下であり、最も好ましくは２つ以下である。リブの幅も、適宜調整することができるが、例えば２０〜４０ｍｍであり、好ましくは２５〜３５ｍｍである。図４においては、リブは前方側壁体の外面に形成されているが、前方側壁体の内面に形成することもできる。
更に、図１及び２に記載のように、前方側壁体の上部にマークを付すことによって、視覚障害者であっても、組み立て時に側壁部の上下（便座面と底の上下）を容易に認識することができる。
【００１４】
前方側壁体４は、右の側辺１０（ａ）及び左の側辺１０（ｂ）に、それぞれ１つ以上の結合部を有する。結合部は、芯棒を挿入するための円柱状の中空部１１を有している（図４及び５）。中空部１１は、上方から見ると円形である（図６）。
本発明の折り畳み式トイレにおいては、側壁体への結合部の取り付け位置が特徴的であり、この点について図６を用いて説明する。本発明の側壁体においては、側壁体の外側の面の直線（ｂ）と、結合部の円柱状の中空部の中心点及び側辺の端部を結ぶ直線（ｃ又はｃ‘）とが形成する角度（ａ）が１２０〜１５０度である。前記角度（ａ）は、好ましくは１３０〜１４０度であり、最も好ましくは略１３５度である。前記の角度の範囲であることによって、図３に示すように、折り畳んだ場合の両端に位置する２つの結合部８と、側壁体との位置の関係から、折り畳まれた側壁体と側壁体との間に、およそ結合部の厚さほどの空間が形成される。従って、前記両端の２つの結合部以外の残りの２つの結合部８’（図３）は、この側壁体に挟まれる空間に収納される。すなわち、前記の特徴を有することにより、側壁部２は、折り畳んだ場合に、でっぱり等のない滑らかな形態に折り畳むことが可能であり、狭い収納場所であっても多くの折り畳み式トイレを収納することができる。前記の角度が、約１３５度であることにより、特にスムーズに折り畳むことが可能であり、図２に示すように薄い形状に折り畳むことが可能である。
【００１５】
（右側側壁体）
右側側壁体６は、前方から見て、側壁部２の右側の壁を形成し、前方側壁体４及び後方側壁体５と隣接している（図２）。
右側側壁体は、上辺、下辺、右の側辺１０（ａ）、及び左の側辺１０（ｂ）を有する四角形の形状であり、側辺が、上辺及び下辺より長い長方形が好ましい（図７）。右側側壁体の高さは、特に限定されるものではないが、例えば３０〜５０ｃｍであり、より好ましくは３５〜４５ｃｍである。右側側壁体の幅は、特に限定されるものではないが、例えば２７〜４７ｃｍであり、より好ましくは３２〜４１ｃｍである。右側側壁体の厚さは、折り畳み式トイレとしての強度が得られる限りにおいて、特に限定されるものではないが、１〜１０ｍｍであり、好ましくは３〜８ｍｍであり、より好ましくは４〜６ｍｍである。
右側側壁体は、上方から下方に伸びるリブ１２を有することができる。上下方向のリブを有することにより、使用者が便座に腰掛けた場合の荷重に対して、折り畳み式トイレの強度を向上させることができる。リブの数は、特に限定されるものではなく、１つ以上のリブを形成することができるが、リブの幅と前方側壁体との幅、及び重量を考慮すると、好ましくは６つ以下であり、より好ましくは４つ以下であり、最も好ましくは２つ以下である。リブの幅も、適宜調整することができるが、例えば２０〜４０ｍｍであり、好ましくは２５〜３５ｍｍである。図７においては、リブは前方側壁体の外面に形成されているが、前方側壁体の内面に形成することもできる。
【００１６】
右側側壁体６は、右の側辺１０（ａ）及び左の側辺１０（ｂ）に、それぞれ１つ以上の結合部を有する。結合部は、芯棒を挿入するための円柱状の中空部１１を有している（図７及び８）。中空部１１は、上方から見ると円形である（図９）。
前方側壁体と同じように、右側側壁体６においても、側壁体の外側の面の直線（ｂ）と、結合部の円柱状の中空部の中心点及び側辺の端部を結ぶ直線（ｃ又はｃ‘）とが形成する角度（ａ）が１２０〜１５０度である。前記角度（ａ）は、好ましくは１３０〜１４０度であり、最も好ましくは略１３５度である。前記の角度の範囲であることによって、図３に示すように、折り畳んだ場合の両端に位置する２つの結合部８と、側壁体との位置の関係から、折り畳まれた側壁体と側壁体との間に、およそ結合部の厚さほどの空間が形成される。従って、前記両端の２つの結合部以外の残りの２つの結合部８’（図３）は、この側壁体に挟まれる空間に収納される。すなわち、前記の特徴を有することにより、側壁部２は、折り畳んだ場合に、でっぱり等のない滑らかな形態に折り畳むことが可能であり、狭い収納場所であっても多くの折り畳み式トイレを収納することができる。
【００１７】
（後方側壁体）
前記後方側壁体５は、側壁部２の後方の壁を形成し、右側側壁体６及び左側側壁体７と隣接している（図２）。
後方側壁体５は、側壁部２の後方の壁を形成していることを除いては、基本的に前方側壁体の形態及び構造等と同じであってよい。しかしながら、後述のように、例えば結合体の数及び／又は位置を異なるものとしてもよい。
【００１８】
（左側側壁体）
前記左側側壁体７は、前方から見て、側壁部２の左側の壁を形成し、前方側壁体４及び後方側壁体５と隣接している（図２）。
左側側壁体７は、側壁部２の左側の壁を形成していることを除いては、基本的に右側側壁体の形態及び構造等と同じであってよい。しかしながら、後述のように、例えば結合体の数及び／又は位置を異なるものとしてもよい。
【００１９】
（隣接する側壁体の結合）
隣接する側壁体の結合について、例えば前方側壁体４と右側側壁体６との結合を例として、以下に説明する。
図４に示した前方側壁体４は、隣接する右側側壁体６との結合部として、結合部８（ａ）及び結合部８（ｂ）を有している。また、図７も示した右側側壁体６は、前方側壁体４との結合部として、結合部８（ｃ）、結合部８（ｄ）及び結合部８（ｅ）を有している。それぞれの結合部は、円柱状の中空部を有しているが、この円柱状の中空部が一致するように、結合部８（ａ）及び結合部８（ｂ）並びに結合部８（ｃ）、結合部８（ｄ）及び結合部８（ｅ）を、互い違いに組み合わせて、上部からそれらの結合部の円柱状の中空部に、図１０に記載の芯棒９を挿入することにより、前方側壁体４と右側側壁体６とを結合することができる（図２）。芯棒を用いて結合させることにより、利用者の体重を支え、強度を向上させることができる。
前方側壁体４及び左側側壁体７の結合、後方側壁体５及び右側側壁体６の結合、及び後方側壁体５及び左側側壁体７の結合も、同様に行うことができる。
【００２０】
前記芯棒９は、頭部１２及び挿入部１３を含む（図１０）。前記頭部の形状は、挿入部より大きい限りにおいて、特に限定されるものではないが、円柱状が好ましい。
挿入部１３は、円柱状であり、組み合わされた結合部の円柱状の中空部と嵌合する。限定されるものではないが、挿入部の先端はおねじ部１４を有していてもよい。前記右側側壁体６の最も下方の結合部８（ｅ）にめねじ部（図示せず）を形成することによって、結合部に挿入された芯棒を、おねじ部とめねじ部とを嵌合させることによって固定することができる。
前記芯棒の挿入部１３の直径と、前記結合部の円柱状の中空部の直径との比率は、中空部の直径が若干大きい限りにおいて、特に限定されるものではないが、好ましくは１００：１０１〜１０３であり、より好ましくは１００：１０１．５〜１０２．５であり、最も好ましくは約１００：１０２である。前記範囲であり、挿入部１３と中空部との間にわずかな隙間があることによって、図３に示したような収納時の形態にスムーズに折り畳むことができる。本発明においては、芯棒を結合部の円柱状の中空部に貫通させることが、使用者が座った場合の強度を確保するための１つの手段となっている。便座式のトイレの場合、一定の高さが必要であり、例えば３０ｃｍ以上の高さが必要である。すなわち、芯棒と結合部の円柱状の中空部との接触する長さが３０ｃｍ以上となる。この接触する長さが短い場合は、前記の比率はあまり限定されないが、接触する長さが長い場合は、前記の比率であることによって、スムーズに折り畳むことができる。特に、芯棒の挿入部１３の直径１００に対して、結合部の円柱状の中空部の直径が１０１未満であると、図２に示したきれいな形状に折り畳めないことがある。また、芯棒の挿入部１３の直径１００に対して、結合部の円柱状の中空部の直径が１０３を超えると組み合立てた時に、がたつくことがある。
【００２１】
結合部の外形は、内部に円柱状の中空部が形成でき、そして折り畳み時の形状及び組み立て時の形状を阻害しない限りにおいて、限定されるものではないが、円柱を側壁体の側辺に結合させた形状が好ましく、折り畳み時及び組み立て時において、外観が滑らかな形状が好ましい。
【００２２】
図４に示した前方側壁体４の結合部８（ａ）及び結合部８（ｂ）と、図７に示した右側側壁体６の結合部８（ｃ）、結合部８（ｄ）及び結合部８（ｅ）の組み合わせにおいては、結合部の間に隙間がないが、結合部の間に隙間を有していても、本発明の効果を得ることができる。
【００２３】
図４に示した前方側壁体４は、２つの結合部を有し、そして図７に示した右側側壁体６の３つの結合部を有しているが、それぞれの側壁体の有する結合部の数は、１つ以上である限りにおいて特に限定されない。例えば前方側壁体４が上方に１つの結合部を有し、右側側壁体６が下方に１つの結合部を有していれば、それぞれの結合部の円柱状の中空部が一致するように組み合わせて、上部からそれらの結合部の円柱状の中空部に、芯棒を挿入することにより、前方側壁体４と右側側壁体６とを結合することができる。
結合体の数の上限は、限定されるものではないが、製造費用を考慮すれば、３つ以下が好ましい。また、結合体は、１つの側壁体の左右の側辺の同じ位置にあってもよいが、異なる位置にあってもよい。すなわち、隣接する側壁体の結合体の位置と調整して、芯棒がそれらの結合体を貫通できるように作製することができる。従って、前方側壁体の結合体の数及び位置と、後方側壁体の結合体の数及び位置は、同じでもよく、異なっていてもよい。同様に、右側側壁体の結合体の数及び位置と、左側側壁体の結合体の数及び位置は、同じでもよく、異なっていてもよい。
【００２４】
《便座部》
便座部３は、便座上部１５及びそこから下方に伸びた便座嵌合部１６を含み（図１１及び図１２）、前記便座嵌合部が前記側壁部の内側又は外側と嵌合する（図１）。また、便座部３は、開口部１８を有する。
便座部３を上方から見た場合の外形は、便座部が側壁部の上部に設置するため、側壁部の上方から見た形状が好ましい。すなわち、四角形が好ましく、より好ましくは長方形であり、四角形の４つの頂点は直角ではなく、なめらかな形状とするのが好ましい。上方から見た縦の長さは、特に限定されるものではないが、例えば２７〜４７ｃｍであり、より好ましくは３２〜４１ｃｍである。上方から見た横の長さは、特に限定されるものではないが、例えば２１〜４０ｃｍであり、より好ましくは２４〜３２ｃｍである。
【００２５】
便座部３の開口部の形状は、特に限定されるものではなく、例えば正方形、円形、長方形、又は楕円形が挙げられる。その大きさも適宜選択することができる。
【００２６】
便座上部１５は、折り畳み式トイレの上面を構成する部分である。例えば、限定されるものではないが、上面をざらざらした表面処理としたり、又はざらざらした素材を用いることができる。上面をざらざらの素材とすることによって、例えば視覚障害者であっても便座を容易に認識することができる。便座上部は、特に前後の区別なく使用することができる。そのため、例えば視覚障害者などであっても、使用時に前後の認識をストレスなく行い、使用することができる。
便座上部の高さは、特に限定されるものではないが、例えば１〜４ｃｍであり、好ましくは１．５〜３ｃｍである。
【００２７】
便座嵌合部１６は、側壁部２と便座部とを嵌合させる部分である。
便座嵌合部１６を側壁部の外側に嵌合させる場合は、便座嵌合部１６が側壁部の外側を覆うように形成させる。
一方、便座嵌合部１６を側壁部の内側に嵌合させる場合は、便座嵌合部１６が側壁部の内側に挿入されるように形成する。この場合、側壁部の内側の４角には、図２に示すように、結合部が突出している。この４つの結合部に対応するように、便座嵌合部１６は、４つの嵌合凹部１７を有する（図１２）。４つの嵌合凹部１７を有する便座嵌合部１６を、側壁部の上部から挿入することにより、側壁部の強度を向上させることができる。
便座嵌合部１６の高さは、特に限定されるものではないが、例えば１．５〜６ｃｍであり、より好ましくは２〜４ｃｍである。
【００２８】
本発明の折り畳み式トイレの材料は、特に限定されるものではないが、樹脂が好ましくは、特には熱可塑性樹脂、又は熱硬化性樹脂が好ましい。
熱硬化性樹脂としては、例えばエポキシ樹脂、シリコーン樹脂、シリコーン変性樹脂、シリコーン変成樹脂、ホルムアルデヒド樹脂、フェノール樹脂、メラミン樹脂、尿素樹脂、ベンゾグアナミン樹脂、不飽和ポリエステル樹脂、アルキド樹脂、ジアリルフタレート樹脂、ポリウレタン樹脂、熱硬化性ポリイミド、架橋型アクリル樹脂、架橋型ポリスチレン樹脂、ポリアミック酸樹脂、又はこれらの重合体が挙げられる。
熱可塑性樹脂としては、ポリエチレン、ポリプロピレン、ポリ塩化ビニル、ポリ塩化ビニリデン、テフロン（登録商標）、ポリスチレン、ポリ酢酸ビニル、アクリロニトリル・ブタジエン・スチレン樹脂、アクリロニトリル・スチレン樹脂、アクリル樹脂、ポリアミド、ナイロン、ポリアセタール、ポリカーボネート、変性ポリフェニレンエーテル、ポリブチレンテレフタレート、ポリエチレンテレフタレート、グラスファイバー強化ポリエチレンテレフタレート、環状ポリオレフィン、ポリフェニレンスルファイド、ポリテトラフロロエチレン、ポリスルホン、ポリエーテルスルホン、非晶ポリアリレート、液晶ポリマー、ポリエーテルエーテルケトン、熱可塑性ポリイミド、ポリアミドイミド、これらの重合体が挙げられる。前記の樹脂を２種以上混合して用いることもできる。
【００２９】
《使用方法》
本発明の折り畳み式トイレは、排せつ物を容易に回収し、廃棄することができるように、内部にビニール袋などを設置して使用することが好ましい。例えば、図１３に示すように、側壁部と便座部との間に、ビニール袋を挟み込んで設置することができる。また、ビニール袋を側壁部２の上部の結合体に引掻けることにより固定することもできる。ビニール袋は、特に限定されるものではなく、どのようなものでも使用可能であるが、例えばスーパーなどのレジ袋又は汎用のビニール製ごみ袋などを用いることができる。
また、ビニール袋に代えて、又はビニール袋と併用してくず箱、バケツ、プラスチック製容器を用いることもできる。
本発明の折り畳み式トイレの設置場所は、特に限定されない。
【産業上の利用可能性】
【００３０】
本発明の折り畳み式トイレは、地震又は風水害などの災害発生時において、簡易トイレとして用いることができる。
【符号の説明】
【００３１】
１・・・折り畳み式トイレ；
２・・・側壁部；
３・・・便座部；
４・・・前方側壁体；
５・・・後方側壁体；
６・・・右側側壁体；
７・・・左側側壁体；
８・・・結合部；
８（ａ）・・・結合部；
８（ｂ）・・・結合部；
８（ｃ）・・・結合部；
８（ｄ）・・・結合部；
８（ｅ）・・・結合部；
９・・・芯棒；
１０・・・側壁体の側辺；
１０（ａ）・・・側壁体の側辺；
１０（ｂ）・・・側壁体の側辺；
１１・・・円柱状の中空部；
１２・・・頭部；
１３・・・挿入部；
１４・・・おねじ部；
１５・・・便座上部；
１６・・・便座嵌合部；
１７・・・嵌合凹部；
１８・・・開口部；
【図１】
2020010944.tif 000003
【図２】
2020010944.tif 000004
【図３】
2020010944.tif 000005
【図４】
2020010944.tif 000006
【図５】
2020010944.tif 000007
【図６】
2020010944.tif 000008
【図７】
2020010944.tif 000009
【図８】
2020010944.tif 000010
【図９】
2020010944.tif 000011
【図１０】
2020010944.tif 000012
【図１１】
2020010944.tif 000013
【図１２】
2020010944.tif 000014
【図１３】
2020010944.tif 000015
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
中空状の四角柱である側壁部、及びその側壁部の上部に設置する便座部を含む、折り畳み式トイレであって、
前記側壁部は、前方側壁体、後方側壁体、右側側壁体、及び左側側壁体の４つの側壁体が、それぞれの２つの側辺でお互いに結合することによって四角柱を形成しており、
前記それぞれの側壁体は、隣接する側壁体と結合するために、２つの側辺にそれぞれ１つ以上の結合部を有し、前記結合部は芯棒を挿入するための円柱状の中空部を有し、隣接する側壁体を組み合わせた場合、隣接する側壁体の結合部が上部から下部にわたり存在し、そして芯棒が前記結合物の円柱状の中空部に上部から下部にわたり挿入されることによって隣接する側壁体が結合しており、
前記便座部は、便座上部及びそこから下方に伸びた便座嵌合部を含み、前記便座嵌合部が前記側壁部の内側又は外側と嵌合する、
折り畳み式トイレ。
【請求項２】
前記前方側壁体、右側側壁体、後方側壁体、及び左側側壁体が、それぞれ独立して１つ以上のリブを有する、請求項１に記載の折り畳み式トイレ。
【請求項３】
前記芯棒の挿入部の直径と、前記結合部の円柱状の中空部の直径との比率が１００：１０１〜１０３である、請求項１又は２に記載の折り畳み式トイレ。
【請求項４】
前記側壁体の外側の直線と、円柱状の中空部の中心点及び側辺の端部を結ぶ直線とが形成する角度が略１３５度である、請求項１〜３のいずれか一項に記載の折り畳み式トイレ。
【手続補正２】
【補正対象書類名】明細書
【補正対象項目名】００１７
【補正方法】変更
【補正の内容】
【００１７】
（後方側壁体）
前記後方側壁体５は、側壁部２の後方の壁を形成し、右側側壁体６及び左側側壁体７と隣接している（図２）。
後方側壁体５は、側壁部２の後方の壁を形成していることを除いては、基本的に前方側壁体の形態及び構造等と同じであってよい。しかしながら、後述のように、例えば結合部の数及び／又は位置を異なるものとしてもよい。
【手続補正３】
【補正対象書類名】明細書
【補正対象項目名】００１８
【補正方法】変更
【補正の内容】
【００１８】
（左側側壁体）
前記左側側壁体７は、前方から見て、側壁部２の左側の壁を形成し、前方側壁体４及び後方側壁体５と隣接している（図２）。
左側側壁体７は、側壁部２の左側の壁を形成していることを除いては、基本的に右側側壁体の形態及び構造等と同じであってよい。しかしながら、後述のように、例えば結合部の数及び／又は位置を異なるものとしてもよい。
【手続補正４】
【補正対象書類名】明細書
【補正対象項目名】００２３
【補正方法】変更
【補正の内容】
【００２３】
図４に示した前方側壁体４は、２つの結合部を有し、そして図７に示した右側側壁体６の３つの結合部を有しているが、それぞれの側壁体の有する結合部の数は、１つ以上である限りにおいて特に限定されない。例えば前方側壁体４が上方に１つの結合部を有し、右側側壁体６が下方に１つの結合部を有していれば、それぞれの結合部の円柱状の中空部が一致するように組み合わせて、上部からそれらの結合部の円柱状の中空部に、芯棒を挿入することにより、前方側壁体４と右側側壁体６とを結合することができる。
結合部の数の上限は、限定されるものではないが、製造費用を考慮すれば、３つ以下が好ましい。また、結合部は、１つの側壁体の左右の側辺の同じ位置にあってもよいが、異なる位置にあってもよい。すなわち、隣接する側壁体の結合部の位置と調整して、芯棒がそれらの結合部を貫通できるように作製することができる。従って、前方側壁体の結合部の数及び位置と、後方側壁体の結合部の数及び位置は、同じでもよく、異なっていてもよい。同様に、右側側壁体の結合部の数及び位置と、左側側壁体の結合部の数及び位置は、同じでもよく、異なっていてもよい。
【手続補正５】
【補正対象書類名】明細書
【補正対象項目名】００２９
【補正方法】変更
【補正の内容】
【００２９】
《使用方法》
本発明の折り畳み式トイレは、排せつ物を容易に回収し、廃棄することができるように、内部にビニール袋などを設置して使用することが好ましい。例えば、図１３に示すように、側壁部と便座部との間に、ビニール袋を挟み込んで設置することができる。また、ビニール袋を側壁部２の上部の結合部に引掻けることにより固定することもできる。ビニール袋は、特に限定されるものではなく、どのようなものでも使用可能であるが、例えばスーパーなどのレジ袋又は汎用のビニール製ごみ袋などを用いることができる。
また、ビニール袋に代えて、又はビニール袋と併用してくず箱、バケツ、プラスチック製容器を用いることもできる。
本発明の折り畳み式トイレの設置場所は、特に限定されない。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
中空状の四角柱である側壁部、及びその側壁部の上部に設置する便座部を含む、折り畳み式トイレであって、
前記側壁部は、前方側壁体、後方側壁体、右側側壁体、及び左側側壁体の４つの側壁体が、それぞれの２つの側辺でお互いに結合することによって四角柱を形成しており、
前記それぞれの側壁体は、隣接する側壁体と結合するために、２つの側辺にそれぞれ１つ以上の結合部を有し、前記結合部は芯棒を挿入するための円柱状の中空部を有し、隣接する側壁体を組み合わせた場合、隣接する側壁体の結合部が上部から下部にわたり存在し、そして芯棒が前記結合部の円柱状の中空部に上部から下部にわたり挿入されることによって隣接する側壁体が結合しており、
前記便座部は、便座上部及びそこから下方に伸びた便座嵌合部を含み、前記便座嵌合部が前記側壁部の内側又は外側と嵌合する、
折り畳み式トイレ。
【請求項２】
前記前方側壁体、右側側壁体、後方側壁体、及び左側側壁体が、それぞれ独立して１つ以上のリブを有する、請求項１に記載の折り畳み式トイレ。
【請求項３】
前記芯棒の挿入部の直径と、前記結合部の円柱状の中空部の直径との比率が１００：１０１〜１０３である、請求項１又は２に記載の折り畳み式トイレ。
【請求項４】
前記側壁体の外側の直線と、円柱状の中空部の中心点及び側辺の端部を結ぶ直線とが形成する角度が略１３５度である、請求項１〜３のいずれか一項に記載の折り畳み式トイレ。
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
中空状の四角柱である側壁部、及びその側壁部の上部に設置する便座部を含む、折り畳み式トイレであって、
前記側壁部は、前方側壁体、後方側壁体、右側側壁体、及び左側側壁体の４つの側壁体が、それぞれの２つの側辺でお互いに結合することによって四角柱を形成しており、
前記それぞれの側壁体は、隣接する側壁体と結合するために、２つの側辺にそれぞれ１つ以上の結合部を有し、前記結合部は芯棒を挿入するための円柱状の中空部を有し、隣接する側壁体を組み合わせた場合、隣接する側壁体の結合部が上部から下部にわたり存在し、そして芯棒が前記結合部の円柱状の中空部に上部から下部にわたり挿入されることによって隣接する側壁体が結合しており、前記側壁部を２つの側壁体によって形成される１つの内角が０度となるように折り畳んだ場合に、その内角に隣接する２つの内角が１８０度であり、そして前記０度の内角の対角となる内角が０度であり、
前記便座部は、便座上部及びそこから下方に伸びた便座嵌合部を含み、前記便座嵌合部が前記側壁部の内側又は外側と嵌合する、
折り畳み式トイレ。
【請求項２】
前記前方側壁体、右側側壁体、後方側壁体、及び左側側壁体が、それぞれ独立して１つ以上のリブを有する、請求項１に記載の折り畳み式トイレ。
【請求項３】
前記芯棒の挿入部の直径と、前記結合部の円柱状の中空部の直径との比率が１００：１０１〜１０３である、請求項１又は２に記載の折り畳み式トイレ。
【請求項４】
前記側壁体の外側の直線と、円柱状の中空部の中心点及び側辺の端部を結ぶ直線とが形成する角度が略１３５度である、請求項１〜３のいずれか一項に記載の折り畳み式トイレ。